(57)【要約】【課題】従来の殺虫剤蒸散方式を離れたユニークで、かつ蒸散性能や使用性、ならびに経済性をも備えた殺虫剤蒸散装置、及びこれを用いた殺虫剤蒸散方法の提供。【課題の解決手段】ポリオレフィン樹脂とカーボンとの混合物に２５℃における蒸気圧が１〜５０ｍＰａのシクロプロパンカルボン酸エステル系ピレスロイド殺虫剤を混練して作成した有機ＰＴＣ発熱体を装着してなる殺虫剤蒸散装置、又は、シリコン樹脂に上記のピレスロイド殺虫剤を混練し、これをポリオレフィン樹脂とカーボンとの混合物に塗膜して作成した有機ＰＴＣ発熱体を装着してなる殺虫剤蒸散装置、及びこれらを用いた殺虫剤蒸散方法。【選択図】図１
2004043360.tif 000002
【特許請求の範囲】
【請求項１】
ポリオレフィン樹脂とカーボンとの混合物に２５℃における蒸気圧が１〜５０ｍＰａのシクロプロパンカルボン酸エステル系ピレスロイド殺虫剤を混練して作成した有機ＰＴＣ発熱体を装着してなることを特徴とする殺虫剤蒸散装置。
【請求項２】
シリコン樹脂に２５℃における蒸気圧が１〜５０ｍＰａのシクロプロパンカルボン酸エステル系ピレスロイド殺虫剤を混練し、これをポリオレフィン樹脂とカーボンとの混合物に塗膜して作成した有機ＰＴＣ発熱体を装着してなることを特徴とする殺虫剤蒸散装置。
【請求項３】
ポリオレフィン樹脂がポリエチレン樹脂であることを特徴とする請求項１又は２に記載の殺虫剤蒸散装置。
【請求項４】
ポリオレフィン樹脂とカーボンとの混合物に２５℃における蒸気圧が１〜５０ｍＰａのシクロプロパンカルボン酸エステル系ピレスロイド殺虫剤を混練して作成した有機ＰＴＣ発熱体を殺虫剤蒸散装置に装着し、交流電源に繋いで前記有機ＰＴＣ発熱体を５０〜１１０℃に加熱させ、前記ピレスロイド殺虫剤を蒸散させることを特徴とする殺虫剤蒸散方法。
【請求項５】
シリコン樹脂に２５℃における蒸気圧が１〜５０ｍＰａのシクロプロパンカルボン酸エステル系ピレスロイド殺虫剤を混練し、これをポリオレフィン樹脂とカーボンとの混合物に塗膜して作成した有機ＰＴＣ発熱体を殺虫剤蒸散装置に装着し、交流電源に繋いで前記有機ＰＴＣ発熱体を５０〜１１０℃に加熱させ、前記ピレスロイド殺虫剤を蒸散させることを特徴とする殺虫剤蒸散方法。
【請求項６】
ポリオレフィン樹脂がポリエチレン樹脂であることを特徴とする請求項４又は５に記載の殺虫剤蒸散方法。
【発明の詳細な説明】
【０００１】
【産業上の利用分野】
本発明は、殺虫剤蒸散装置及びこれを用いた殺虫剤蒸散方法に関するものである。
【０００２】
【従来の技術】
従来より殺虫等の目的で殺虫成分を加熱蒸散させる方法として、（１）蚊取線香、（２）電気蚊取マット、（３）液体蚊取などが愛用されている。このうち、電気蚊取マットは、殺虫成分を含浸させた繊維質製マットを、加熱蒸散装置の該マットと略同形状の放熱板上に載置し、通電により加熱して殺虫成分を蒸散させるもので、放熱板の中心部の温度は１４０〜１８０℃の範囲に設定されている。電気蚊取マットは使いやすい製剤であるが、マットの底面全体が放熱板により加熱されるので、揮散調整剤を添加しても殺虫成分の揮散量は経時的に減少する。一方、薬液中に吸液芯を浸漬し、芯上部を加熱して薬液を加熱蒸散させる液体蚊取の場合、芯上部を間接加熱する構成のため発熱体の温度は電気蚊取マットに比べて若干低くなっている。この方式は一度薬液ボトルを装着するだけで３０〜９０日間効果が持続するので便利である反面、液漏れ等の危惧は避けられない。
【０００３】
電気蚊取マット方式の使いやすい長所を取り入れ、かつ長期間効果の持続する製剤の開発も試みられ、例えば特開平５−１９４１０３号公報や特開平６−１９２００７号公報には、熱可塑性樹脂粉末と無機粉末及び／又は有機粉末からなる混合物を熱可塑性樹脂粉末の融点付近に加熱してなる加熱蒸散用薬剤含有体が開示されている。そして、熱伝導性のよい担体を用いることにより加熱温度を下げえることが記載されているが、長期間にわたり安定した蒸散性能を得るのは難しい。
【０００４】
【発明が解決しようとする課題】
従来の殺虫剤蒸散装置はすべて、発熱体を固定した装置に、殺虫剤を含むマット、ボトルなどの担体を装着し、殺虫剤を含む担体から殺虫剤を蒸散させようとするもので、発熱体と殺虫剤担体を２パーツにすることは不可避と考えられてきた。しかるに本発明は、従来の加熱蒸散方式の問題点に鑑み、従来方式から離れた極めてユニークで、かつ蒸散性能や使用性、ならびに経済性をも備えた殺虫剤蒸散装置、及びこれを用いた殺虫剤蒸散方法を提供することを目的とする。
【０００５】
【課題を解決するための手段および発明の実施の形態】
上記課題を解決するため、本発明者らは、有機ＰＴＣ（正特性サーミスタ）発熱体自体に殺虫剤を混練させるという全く新規な方式を採用することによって、目的の殺虫剤蒸散装置、及びこれを用いた殺虫剤蒸散方法が得られることを知見し、本発明を完成した。
【０００６】
すなわち請求項１の発明は、ポリオレフィン樹脂とカーボンとの混合物に２５℃における蒸気圧が１〜５０ｍＰａのシクロプロパンカルボン酸エステル系ピレスロイド殺虫剤を混練して作成した有機ＰＴＣ発熱体を装着してなる殺虫剤蒸散装置、また請求項２の発明は、シリコン樹脂に２５℃における蒸気圧が１〜５０ｍＰａのシクロプロパンカルボン酸エステル系ピレスロイド殺虫剤を混練し、これをポリオレフィン樹脂とカーボンとの混合物に塗膜して作成した有機ＰＴＣ発熱体を装着してなる殺虫剤蒸散装置に関するものである。
【０００７】
本発明の殺虫剤蒸散装置は、特定の蒸気圧を有するピレスロイド殺虫剤を３０〜１５０日間効力が持続するように有機ＰＴＣ発熱体に練りこみ、使用終了後は有機ＰＴＣ発熱体自体を使い捨てに構成したことに特徴を有する。
本発明で用いる有機ＰＴＣ発熱体は、電気絶縁体であるポリオレフィン樹脂と導電体のカーボンを主原料とし、平常状態では、ポリオレフィン樹脂中に分散したカーボンが無数の導電パスを形成し低い抵抗を示すが、温度が徐々に上昇するにつれポリオレフィン樹脂の熱膨張によりカーボンの導電パスが切断されＰＴＣ特性を示すようになる。すなわち、過電流や過熱に対してヒューズのような役割を果たす。かかる特性は無機ＰＴＣ発熱体では得られず、ピレスロイド殺虫剤の安定性の点からもこの蒸散システムは無機ＰＴＣ発熱体に適用できない。
【０００８】
特定のピレスロイド殺虫剤を含む有機ＰＴＣ発熱体を作成するにあたっては、ポリオレフィン樹脂とカーボンとの混合物にピレスロイド殺虫剤を混練するか、又はシリコン樹脂にピレスロイド殺虫剤を混練し、これをポリオレフィン樹脂とカーボンとの混合物に塗膜して作成することができる。ポリオレフィン樹脂としては、ポリエチレン樹脂やポリプロピレン樹脂などがあるがポリエチレン樹脂が好ましく、これのカーボンとの混合比率やピレスロイド殺虫剤の配合量などは、用いるピレスロイド殺虫剤の蒸気圧や適用温度、殺虫効力の有効期間などを考慮して適宜決定される。
【０００９】
本発明で用いる有機ＰＴＣ発熱体は、上記部材にリード線を組み入れた後、通常、殺虫剤蒸散装置への装着手段を備えた通気性カートリッジに収納されて使用に供される。かかる蒸散システムは、別に殺虫剤担体を必要とせず、これ自体がヒューズ機能を備えているため、従来の殺虫剤蒸散装置に比べて構成が簡単で極めて有用なものである。
【００１０】
本発明で用いるピレスロイド殺虫剤は、ポリオレフィン樹脂あるいはシリコン樹脂との相溶性、安定性、混練樹脂からの蒸散性などから、２５℃における蒸気圧が１〜５０ｍＰａのシクロプロパンカルボン酸エステル系ピレスロイド殺虫剤に特定される。かかるピレスロイド殺虫剤としては、例えば、一般式（Ｉ）
【化１】
2004043360.tif 000003
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物を例示することができる。
【００１１】
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、４−メチル−２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、又は４−プロパルギル−２，３，５，６−テトラフルオロベンジル−２，２−ジメチル−３−（１−プロペニル）シクロプロパンカルボキシレート（以後、化合物Ｊと称す）をあげることができる。これらの化合物は一種類を使用してもよいし、又は二種類以上の化合物を組み合わせて使用してもよい。なお、一般式（Ｉ）で表される化合物には、その不斉炭素や二重結合に基づく光学異性体や幾何異性体が存在するが、これらの各々やそれらの任意の混合物の使用も本発明に含まれるのは勿論である。
【００１２】
ピレスロイド殺虫剤の配合量は、有機ＰＴＣ発熱体１個あたり６０ｍｇ以上で、１時間あたり殺虫剤を０．０５〜１．０ｍｇ蒸散させるように調整するの適当である。有機ＰＴＣ発熱体の製造にあたっては、その電気的性能や蒸散性能に支障をきたさない限りにおいて、必要ならば溶剤、界面活性剤、分散剤、安定剤、着色剤、離ケイ剤、帯電防止剤などを適宜配合してもよく、また、揮散性の高い他の殺虫、防虫、忌避成分（例えば、ヒノキチオール、カルボン、サフロール、シトロネロール、ケイ皮アルデヒドなどの防虫香料など）、殺ダニ剤、殺菌剤、消臭剤などを添加して多目的薬剤組成物とすることもできる。
【００１３】
本発明の殺虫剤蒸散装置の形状、大きさは全く任意であり、カートリッジ状の有機ＰＴＣ発熱体の外、これの受容部、交流電源スイッチ、通電ランプ、蒸散口、薬剤有効期間表示具、通気口などが適宜付設される。薬剤有効期間表示機能としては、例えば周波数検知ダイオードからの電源周波数の読み取りとこれに基づく加熱時間の積算を行うマイコンを備え液晶表示を制御する方式があるが、もちろんこの方式に限定されない。
【００１４】
請求項３の発明は、請求項１又は２の殺虫剤蒸散装置において、ポリオレフィン樹脂としてポリエチレン樹脂を用いたものである。
【００１５】
請求項４の発明は、ポリオレフィン樹脂とカーボンとの混合物に２５℃における蒸気圧が１〜５０ｍＰａのシクロプロパンカルボン酸エステル系ピレスロイド殺虫剤を混練して作成した有機ＰＴＣ発熱体を殺虫剤蒸散装置に装着し、交流電源に繋いで前記有機ＰＴＣ発熱体を５０〜１１０℃に加熱させ、前記ピレスロイド殺虫剤を蒸散させる殺虫剤蒸散方法に関するものである。
【００１６】
請求項５の発明は、シリコン樹脂に２５℃における蒸気圧が１〜５０ｍＰａのシクロプロパンカルボン酸エステル系ピレスロイド殺虫剤を混練し、これをポリオレフィン樹脂とカーボンとの混合物に塗膜して作成した有機ＰＴＣ発熱体を殺虫剤蒸散装置に装着し、交流電源に繋いで前記有機ＰＴＣ発熱体を５０〜１１０℃に加熱させ、前記ピレスロイド殺虫剤を蒸散させる殺虫剤蒸散方法に関するものである。
【００１７】
請求項６の発明は、請求項４又は５の殺虫剤蒸散方法において、ポリオレフィン樹脂としてポリエチレン樹脂を用いたものである。
【００１８】
こうして得られた本発明の殺虫剤蒸散装置は、殺虫剤の蒸散性能にすぐれるのはもちろん、別に殺虫剤担体を必要とせず構成が簡単で、しかも有機ＰＴＣ発熱体自体がヒューズ機能を有しているため電気的に安全であるというメリットを有する。従って、本発明は、蚊、ハエ、ゴキブリ、屋内塵性ダニ類などの衛生害虫や、蚋、ユスリカなどの害虫に対して極めて実用的、かつ有用な殺虫剤蒸散方法をも提供する。
【００１９】
【実施例】
次に、具体的実施例ならびに試験例に基づいて、本発明の殺虫剤蒸散装置、及びこれを用いた殺虫剤蒸散方法を更に詳細に説明する。
【００２０】
実施例１
図１は本実施例の殺虫剤蒸散装置１の側面断面図を示す。
融点が１５０℃のポリエチレン樹脂５０部とカーボンブラック４０部、及び化合物Ｈ（２５℃における蒸気圧：１．９ｍＰａ）１０部を加熱下に混練し、縦２．２ｃｍ、横３．５ｃｍの大きさに成形した後、リード線を装着して有機ＰＴＣ発熱体２（化合物Ｈを２００ｍｇ含有）を調製した。これを通気性カートリッジ３に収納したものを、器具ケース４に装着して本発明の殺虫剤蒸散装置１を得た。なお、図中、５は電源スイッチ、６は電源コード、７は通電ランプ、８は蒸散口、９は薬剤有効期間液晶表示具、１０はマイコン、１１は通気口を示す。
この殺虫剤蒸散装置１を交流電源に接続すると有機ＰＴＣ発熱体２は９０℃に上昇して安定した。６畳の部屋で使用したところ、６０日間にわたって蚊の被害を受けることがなく、また有機ＰＴＣ発熱体２の取替え時期の表示も明瞭で使いやすかった。
【００２１】
実施例２
シリコン樹脂８０部に化合物Ｃ（２５℃における蒸気圧：Ｃａ．３．５ｍＰａ）２０部を混練したものを、融点が１３０℃のポリエチレン樹脂６０部とカーボンブラック４０部からなり縦２．２ｃｍ、横３．５ｃｍの大きさに成形された混合物に塗膜して有機ＰＴＣ発熱体２（化合物Ｃを２７０ｍｇ含有）を調製した。
実施例１と同様にして殺虫剤蒸散装置１を作成し、交流電源に接続すると有機ＰＴＣ発熱体２の発熱温度は８０℃であった。８畳のリビングでの使用で、本殺虫剤蒸散装置は６０日間十分な蚊防除効果を示した。
【００２２】
試験例
実施例２に準じて表１に示す各種殺虫剤蒸散装置を作成し、その蚊に対する殺虫効力を評価した。なお、効力試験は、２×２×２ｍのチャンバーの中央に殺虫剤蒸散装置を置き、上方隅にセットした蚊（網カゴ入り、各２０匹）に対するノックダウン効果を調べた。ｄｌ，ｄ−Ｔ８０−アレスリン４０ｍｇを含有する市販の１日用マットに比べて、優れるもの：○、同程度のもの：△、劣るもの：×　で示した。
【００２３】
【表１】
2004043360.tif 000004
【００２４】
試験の結果、本発明の殺虫剤蒸散装置は、６０日間にわたり蚊に対して高い殺虫効力を保持し、別に殺虫剤担体を必要とせず構成が簡単で使いやすかった。
これに対し、２５℃における蒸気圧が１〜５０ｍＰａの範囲に該当しないシクロプロパンカルボン酸エステル系ピレスロイド殺虫剤を用いた比較例１及び比較例２や、有機ＰＴＣ発熱体にポリエステル樹脂を用いた比較例３は、本蒸散システムに適合しなかった。また、比較例４のように発熱体の温度を５０℃未満に設計すると殺虫効力が不足し、一方、比較例５の如く１１０℃を越えると有機ＰＴＣ発熱体自体に成形上の問題が生じたが、有機ＰＴＣの特性で安全性に対する支障はなかった。
【００２５】
【発明の効果】
本発明の殺虫剤蒸散装置は、殺虫剤の蒸散性能にすぐれるのはもちろん、別に殺虫剤担体を必要とせず構成が簡単で、しかも有機ＰＴＣ発熱体自体がヒューズ機能を有しているため電気的に安全であるというメリットを有する。従って、本発明は、蚊、ハエ、ゴキブリ、屋内塵性ダニ類などの衛生害虫や、蚋、ユスリカなどの害虫に対して極めて実用的、かつ有用な殺虫剤蒸散方法をも提供する。
【図面の簡単な説明】
【図１】本発明の殺虫剤蒸散装置の一実施例の側面断面図を示す。
【符号の説明】
１：殺虫剤蒸散装置
２：有機ＰＴＣ発熱体
３：カートリッジ
４：器具ケース
５：電源スイッチ
６：電源コード
７：通電ランプ
８：蒸散口
９：薬剤有効期間液晶表示具
１０：マイコン
１１：通気口
【図１】
2004043360.tif 000005